(57)【特許請求の範囲】
【請求項１】
利用者がそれぞれ使用する複数の利用者端末と、通信回線を介して前記利用者端末とデータ通信可能に接続された情報収集装置とを備え、前記利用者端末から通知された各種申告情報に基づいて、前記情報収集装置が前記利用者の利用する区画ごとに当該区画に関する情報を収集する区画情報収集システムであって、
前記利用者端末は、
通信回線に対して接続されたことを検知する接続検知部と、
前記滞在区画の通知接続検知部により前記接続が検知されたときに、前記利用者が当該接続の検知時点に滞在している滞在区画を申告させる要求を前記利用者に提示し、前記利用者から申告された滞在区画と前記利用者端末の端末ＩＤとを含む滞在区画申告情報を前記情報収集装置へ通知する情報申告部とを備え、
前記情報収集装置は、
前記利用者が利用する区画ごとに、当該区画に滞在する前記利用者端末の端末ＩＤが登録された滞在端末情報を記憶する滞在端末記憶部と、
前記利用者端末からの滞在区画申告情報の通知に応じて、前記滞在端末情報のうち前記滞在区画申告情報に含まれる端末ＩＤを元の滞在区画から新たな滞在区画へ変更登録する申告処理部とを備える
ことを特徴とする区画情報収集システム。
【請求項２】
請求項１に記載の区画情報収集システムにおいて、
前記情報申告部は、前記滞在区画の申告が行われた後、当該滞在区画の環境状況を申告させる要求を前記利用者に提示し、前記利用者から申告された当該滞在区画の環境状況と前記利用者端末の端末ＩＤとを含む環境状況申告情報を前記情報収集装置へ通知し、
前記情報収集装置は、前記区画ごとに、当該区画における環境状況が登録された環境状況情報を記憶する環境状況記憶部をさらに有し、
前記申告処理部は、前記利用者端末からの環境状況申告情報の通知に応じて、前記滞在端末情報から前記環境状況申告情報に含まれる端末ＩＤの滞在区画を取得し、前記環境状況情報のうち前記環境状況申告情報に含まれる環境状況を前記滞在区画の環境状況として登録する
ことを特徴とする区画情報収集システム。
【請求項３】
利用者がそれぞれ使用する複数の利用者端末と、通信回線を介して前記利用者端末とデータ通信可能に接続された情報収集装置とを備え、前記利用者端末から通知された各種申告情報に基づいて、前記情報収集装置が前記利用者の利用する区画ごとに当該区画に関する情報を収集する区画情報収集システムで用いられる区画情報収集方法であって、
前記利用者端末の接続検知部が、通信回線に対して接続されたことを検知する接続検知ステップと、
前記利用者端末の情報申告部が、前記接続検知ステップにより前記接続が検知されたときに、前記利用者が当該接続の検知時点に滞在している滞在区画を申告させる要求を前記利用者に提示し、前記利用者から申告された滞在区画と前記利用者端末の端末ＩＤとを含む滞在区画申告情報を前記情報収集装置へ通知する情報申告ステップと、
前記情報収集装置の滞在端末記憶部が、前記利用者が利用する区画ごとに、当該区画に滞在する前記利用者端末の端末ＩＤが登録された滞在端末情報を記憶する滞在端末記憶ステップと、
前記情報収集装置の申告処理部が、前記利用者端末からの滞在区画申告情報の通知に応じて、前記滞在端末情報のうち前記滞在区画申告情報に含まれる端末ＩＤを元の滞在区画から新たな滞在区画へ変更登録する申告処理ステップと
を備えることを特徴とする区画情報収集方法。
【請求項４】
請求項３に記載の区画情報収集方法において、
前記情報申告ステップは、前記滞在区画の申告が行われた後、当該滞在区画の環境状況を申告させる要求を前記利用者に提示し、前記利用者から申告された当該滞在区画の環境状況と前記利用者端末の端末ＩＤとを含む環境状況申告情報を前記情報収集装置へ通知するステップを含み、
前記情報収集装置の環境状況記憶部が、前記区画ごとに、当該区画における環境状況が登録された環境状況情報を記憶する環境状況記憶ステップをさらに有し、
前記申告処理ステップは、前記利用者端末からの環境状況申告情報の通知に応じて、前記滞在端末情報から前記環境状況申告情報に含まれる端末ＩＤの滞在区画を取得し、前記環境状況情報のうち前記環境状況申告情報に含まれる環境状況を前記滞在区画の環境状況として登録するステップを含む
ことを特徴とする区画情報収集方法。
【発明の詳細な説明】
【技術分野】
【０００１】
本発明は、室内環境制御技術に関し、特に利用者からの通知に応じて、利用者が利用する各区画に関する情報を収集する区画情報収集技術に関する。
【背景技術】
【０００２】
快適性や省エネルギーを指向する室内環境制御システムの多くは、人間の意志が介在しない完全自動制御を行っている。しかしながら、利用者が満足する環境制御を実現できていないケースが多く見られる。
従来、空調空間内に居住している利用者が申告した現在の環境情報（暑い／寒い、快適／不快など）を、ネットワークを介して取得し、これら申告された情報を集計して、空調システムへ提供する情報収集システムが提案されている（例えば、特許文献１など参照）。
【０００３】
この技術は、利用者が、自己の居室に設置されている利用者端末から現在の環境状況を操作入力し、この環境状況を端末から通信回線を介してサーバへ送信し、各利用者端末からの環境状況をサーバで収集するものである。
これにより、居室に複数の利用者が滞在している場合でも、各利用者から申告された環境状況を集計して、なるべく多くの利用者が満足するような環境制御を行うことができる。
【先行技術文献】
【特許文献】
【０００４】
【特許文献１】特開２００３−２５４５９３号公報
【発明の概要】
【発明が解決しようとする課題】
【０００５】
しかしながら、このような従来技術によれば、利用者が他の区画へ移動したことを検知できないため、利用者が他の区画へ移動してしまい、新たな環境状況の申告がない場合でも、現在の環境状況に満足していると推定してしまうという問題点があった。このため、利用者が他の区画へ移動したにもかかわらず、利用者のいない居室について無駄な環境制御を継続してしまうという問題点があった。
【０００６】
例えば、オフィスなどの設備では、利用者が自席のある居室から、会議室や打合せ室など、他の区画へ移動する場合が多い。このような設備において、例えば利用者が一人だけ居室に滞在しており、その居室で「暑い」という環境状況を申告した場合、居室の温度を低めの温度に維持するという環境制御が開始される。この後、利用者がその居室から会議室へ移動した場合、居室には誰もいなくなったにもかかわらず、居室を低めの温度に維持するという無駄な環境制御が継続されることになる。
【０００７】
本発明はこのような課題を解決するためのものであり、区画間における利用者の移動を極めて正確に確認でき、精度の高い環境状況を各区画から収集できる室内環境申告技術を提供することを目的としている。
【課題を解決するための手段】
【０００８】
このような目的を達成するために、本発明にかかる区画情報収集システムは、利用者がそれぞれ使用する複数の利用者端末と、通信回線を介して利用者端末とデータ通信可能に接続された情報収集装置とを備え、利用者端末から通知された各種申告情報に基づいて、情報収集装置が利用者の利用する区画ごとに当該区画に関する情報を収集する区画情報収集システムであって、利用者端末に、通信回線に対して接続されたことを検知する接続検知部と、接続検知部により接続が検知されたときに、利用者が当該接続の検知時点に滞在している滞在区画を申告させる要求を利用者に提示し、利用者から申告された滞在区画と利用者端末の端末ＩＤとを含む滞在区画申告情報を情報収集装置へ通知する情報申告部とを備え、情報収集装置に、利用者が利用する区画ごとに、当該区画に滞在する利用者端末の端末ＩＤが登録された滞在端末情報を記憶する滞在端末記憶部と、利用者端末からの滞在区画申告情報の通知に応じて、滞在端末情報のうち滞在区画申告情報に含まれる端末ＩＤを元の滞在区画から新たな滞在区画へ変更登録する申告処理部とを備えている。
【０００９】
この際、情報申告部で、滞在区画の申告が行われた後、当該滞在区画の環境状況を申告させる要求を利用者に提示し、利用者から申告された当該滞在区画の環境状況と利用者端末の端末ＩＤとを含む環境状況申告情報を情報収集装置へ通知し、情報収集装置に、区画ごとに、当該区画における環境状況が登録された環境状況情報を記憶する環境状況記憶部を設け、申告処理部で、利用者端末からの環境状況申告情報の通知に応じて、滞在端末情報から環境状況申告情報に含まれる端末ＩＤの滞在区画を取得し、環境状況情報のうち環境状況申告情報に含まれる環境状況を滞在区画の環境状況として登録するようにしてもよい。
【００１０】
また、本発明にかかる区画情報収集方法は、利用者がそれぞれ使用する複数の利用者端末と、通信回線を介して利用者端末とデータ通信可能に接続された情報収集装置とを備え、利用者端末から通知された各種申告情報に基づいて、情報収集装置が利用者の利用する区画ごとに当該区画に関する情報を収集する区画情報収集システムで用いられる区画情報収集方法であって、利用者端末の接続検知部が、通信回線に対して接続されたことを検知する接続検知ステップと、利用者端末の情報申告部が、接続検知ステップにより接続が検知されたときに、利用者が当該接続の検知時点に滞在している滞在区画を申告させる要求を利用者に提示し、利用者から申告された滞在区画と利用者端末の端末ＩＤとを含む滞在区画申告情報を情報収集装置へ通知する情報申告ステップと、情報収集装置の滞在端末記憶部が、利用者が利用する区画ごとに、当該区画に滞在する利用者端末の端末ＩＤが登録された滞在端末情報を記憶する滞在端末記憶ステップと、情報収集装置の申告処理部が、利用者端末からの滞在区画申告情報の通知に応じて、滞在端末情報のうち滞在区画申告情報に含まれる端末ＩＤを元の滞在区画から新たな滞在区画へ変更登録する申告処理ステップとを備えている。
【００１１】
この際、情報申告ステップに、滞在区画の申告が行われた後、当該滞在区画の環境状況を申告させる要求を利用者に提示し、利用者から申告された当該滞在区画の環境状況と利用者端末の端末ＩＤとを含む環境状況申告情報を情報収集装置へ通知するステップを含み、情報収集装置の環境状況記憶部が、区画ごとに、当該区画における環境状況が登録された環境状況情報を記憶する環境状況記憶ステップをさらに設け、申告処理ステップに、利用者端末からの環境状況申告情報の通知に応じて、滞在端末情報から環境状況申告情報に含まれる端末ＩＤの滞在区画を取得し、環境状況情報のうち環境状況申告情報に含まれる環境状況を滞在区画の環境状況として登録するステップを含むようにしてもよい。
【発明の効果】
【００１２】
本発明によれば、利用者が持ち運ぶ利用者端末と通信回線との接続を自動検知して、新しい滞在区画を申告させるようにしたので、区画間における利用者の移動を極めて正確に確認でき、精度の高い環境状況を各区画から収集することができる。
したがって、本発明にかかる区画情報収集システムで区画ごとに収集された環境状況を、室内環境制御システムにおいて利用することにより、空調制御や照明制御などの室内環境制御において、区画ごとに利用者が満足する環境制御を実現することが可能となる。
【図面の簡単な説明】
【００１３】
【図１】第１の実施の形態にかかる区画情報収集システムの構成を示すブロック図である。
【図２】移動確認画面の構成例である。
【図３】滞在区画申告画面の構成例である。
【図４】各区画における利用者端末の滞在状況を示す説明図である。
【図５】滞在端末情報の構成例である。
【図６】第１の実施の形態にかかる区画情報収集システムの情報収集動作を示すシーケンス図である。
【図７】利用者の区画移動例を示す説明図である。
【図８】滞在端末情報の更新例である。
【図９】第２の実施の形態にかかる区画情報収集システムの構成を示す部ブロック図である。
【図１０】環境状況の申告例である。
【図１１】環境状況情報の構成例である。
【図１２】環境状況申告画面の構成例である。
【図１３】第２の実施の形態にかかる区画情報収集システムの情報収集動作を示すシーケンス図である。
【図１４】環境状況（移動後）の申告例である。
【図１５】環境状況情報（移動後）の集計例である。
【発明を実施するための形態】
【００１４】
次に、本発明の実施の形態について図面を参照して説明する。
［第１の実施の形態］
まず、図１を参照して、本発明の第１の実施の形態にかかる区画情報収集システムについて説明する。図１は、第１の実施の形態にかかる区画情報収集システムの構成を示すブロック図である。
【００１５】
この区画情報収集システム１は、各区画を利用する利用者の利用者端末１０から通知された各種申告情報に基づいて、区画ごとに当該区画に関する情報を収集する機能を有している。
室内環境制御システム５は、区画情報収集システム１で集計した区画情報の集計結果を通信回線３０を介して利用し、空調環境や照明環境など、各区画における環境を制御する機能を有している。
【００１６】
［区画情報収集システム］
区画情報収集システム１は、各利用者がそれぞれ個別に使用する複数の利用者端末１０と、通信回線３０を介してこれら利用者端末１０とデータ通信可能に接続された情報収集装置２０とから構成されている。
利用者端末１０は、全体としてノートパソコンなどの携帯情報端末からなり、利用者の移動に伴って移動先の区画に設置された有線ＬＡＮあるいは無線ＬＡＮなどの通信回線３０に接続され、利用者操作に応じて各種の申告情報を情報収集装置２０へ通知する機能を有している。
情報収集装置２０は、全体としてサーバ装置などの情報処理装置からなり、通信回線３０を介して利用者端末１０から申告情報を収集する機能を有している。
【００１７】
本実施の形態は、利用者端末１０で、通信回線に対して新たに接続されたことを検知したときに、滞在区画を申告させる要求を利用者に提示し、利用者から申告された滞在区画と利用者端末１０の端末ＩＤとを含む滞在区画申告情報を情報収集装置２０へ通知し、情報収集装置２０で、利用者が利用する区画ごとに、当該区画に滞在する利用者端末１０の端末ＩＤが登録された滞在端末情報を記憶しておき、利用者端末１０からの滞在区画申告情報の通知に応じて、滞在端末情報のうち滞在区画申告情報に含まれる端末ＩＤを元の滞在区画から新たな滞在区画へ変更登録するようにしたものである。
【００１８】
［発明の原理］
快適性や省エネ性を指向する環境制御システムの多くは、人間の意志が介在しない完全自動制御を行っているが、必ずしも良好に環境制御できていないケースが多く見られる。
利用者からの要望申告機能は、このような課題を解決すべく、環境制御システムと人間とのインタラクションを通じて積極的に人間の意志を制御に反映させ、満足度を向上させることを指向している。しかし「離席・退出を検知できないことによる無駄なエネルギー消費」という課題がある。
【００１９】
これに対して、近年普及した移動型ＰＣ（主にノートＰＣ）が使用されているオフィス空間において、執務での移動時にノートＰＣを持ち歩くという利用者の行動に基づき、ＰＣ自身が把握しているネットワーク接続状態の変化等から、利用者の移動を検知できることに着眼した。
このような着眼に基づいて、本発明は、前述したように、利用者のＰＣのネットワーク接続情報や起動停止情報をもとに移動を検知し、利用者に滞在区画の移動について確認する画面を表示するようにしたものである。
【００２０】
この方式は、原理的に下記の点において優れている。
例えば、在席を検知する人感センサ等（焦電型赤外線センサ他）のセンサを使用する場合、仮に数十秒の離席であっても離席として扱われるため、環境制御システム側に頻繁な状況変化を通知することになる。
【００２１】
一方、ＰＣのネットワーク接続状態は、ほとんどのケースで利用者が長時間離席する意志に伴って接続が切断されるというように、環境制御システム側に「本当の意味の離席」を正しく通知できる。すなわち、利用者が何らかの都合で、すぐに戻る意志を持ちながら数十秒程度離席する場合は、その都度ネットワークを切断することはなく、また空調などの環境制御システムは、このような数十秒程度の離席は、離席として扱わないのが適切である（照明の場合、蛍光灯などの頻繁な点灯・消灯は器具の寿命短縮につながる）。
したがって、ＰＣのネットワーク接続状態を利用することは、特に環境制御システムにとって適切な利用者の移動の検知になる。
【００２２】
［利用者端末］
次に、図１を参照して、本実施の形態にかかる区画情報収集システム１の利用者端末１０の構成について詳細に説明する。
利用者端末１０には、主な機能部として、通信インターフェース部（以下、通信Ｉ／Ｆ部という）１１、操作入力部１２、画面表示部１３、記憶部１４、接続検知部１５、移動確認部１６、および情報申告部１７が設けられている。これら機能部は、内部バスを介して互いにデータやり取り可能に接続されている。
【００２３】
通信Ｉ／Ｆ部１１は、専用のデータ通信回路からなり、通信回線３０を介して情報収集装置２０とデータ通信を行うことにより、各種情報をやり取りする機能を有している。
操作入力部１２は、キーボードやマウスなどの操作入力装置からなり、利用者の操作を検出して各機能部へ通知する機能を有している。
画面表示部１３は、ＬＣＤなどの画面表示装置からなり、各機能部から出力された各種情報を画面表示する機能を有している。
【００２４】
記憶部１４は、半導体メモリなどの記憶装置からなり、各機能部での処理動作に用いる処理情報を記憶する機能を有している。記憶部１４で記憶する主な処理情報として、当該利用者端末１０を識別するための端末ＩＤと、利用者に対して移動の有無を確認するための移動確認画面とがある。
図２は、移動確認画面の構成例である。ここでは、一般的なダイアログボックス画面に、利用者に対する移動有無の問合せメッセージ「区画を移動しましたか？」と、この問合せに対する回答を利用者が操作入力するための操作ボタン「はい」と「いいえ」とが設けられている。
【００２５】
接続検知部１５は、通信Ｉ／Ｆ部１１からの通知に基づいて、当該利用者端末１０が通信回線３０に対して接続されたことを検知する機能を有している。利用者端末１０として用いられる一般的な携帯情報端末には、自動通信機能が設けられている。したがって、通信回線３０と利用者端末１０との接続に応じて、通信回線３０を用いたデータ通信の可否が通信Ｉ／Ｆ部１１で検出され、ＯＳのイベントとして通知される。接続検知部１５では、このようなＯＳのイベントを監視しておくことにより、通信回線３０との接続を検知するとができる。
【００２６】
移動確認部１６は、接続検知部１５による検知に応じて、利用者の移動有無を確認する移動確認画面を記憶部１４から読み出して画面表示部１３で画面表示する機能と、操作入力部１２で検出された当該移動確認画面での移動あり選択操作に応じて、記憶部１４の端末ＩＤを用いて当該利用者端末１０の移動ありを、通信Ｉ／Ｆ部１１から通信回線３０を介して情報収集装置２０へ通知する機能とを有している。
【００２７】
情報申告部１７は、情報収集装置２０から通信回線３０を介して通信Ｉ／Ｆ部１１で受信した滞在区画申告画面に応じて、当該滞在区画申告画面を画面表示部１３で画面表示する機能と、操作入力部１２で検出された当該滞在区画申告画面での滞在区画入力操作に応じて、入力された滞在区画と当該利用者端末１０の端末ＩＤとを含む滞在区画申告情報を情報収集装置２０へ通知する機能とを有している。
【００２８】
利用者端末１０における各機能部のうち、接続検知部１５、移動確認部１６、および情報申告部１７は、専用の制御回路で実現してもよく、ＣＰＵなどのマイクロプロセッサとその周辺回路を有し、記憶部１４内のプロクラムを実行して動作する演算処理部で実現してもよい。
【００２９】
［情報収集装置］
次に、図１を参照して、本実施の形態にかかる区画情報収集システム１の情報収集装置２０の構成について詳細に説明する。
情報収集装置２０には、主な機能部として、通信インターフェース部（以下、通信Ｉ／Ｆ部という）２１、記憶部２２、滞在端末記憶部２３、申告処理部２５、状況集計部２６、および集計結果提供部２７が設けられている。これら機能部は、内部バスを介して互いにデータやり取り可能に接続されている。
【００３０】
通信Ｉ／Ｆ部２１は、専用のデータ通信回路からなり、通信回線３０を介して利用者端末１０や室内環境制御システム５とデータ通信を行うことにより、各種情報をやり取りする機能を有している。
【００３１】
記憶部２２は、ハードディスクや半導体メモリなどの記憶装置からなり、各機能部での処理動作に用いる処理情報を記憶する機能を有している。記憶部２２で記憶する主な処理情報として、利用者に対して滞在している区画を申告するための滞在区画申告画面とがある。
図３は、滞在区画申告画面の構成例である。ここでは、一般的なダイアログボックス画面に、利用者に対する滞在区画の申告を促す催促メッセージ「現在滞在している区画を選択して下さい」と、区画ごとに設けられて利用者が滞在する区画を選択するための区画選択ボタンと、区画選択を申告するためのＯＫボタンと、申告を中止するためのキャンセルボタンとが設けられている。
【００３２】
滞在端末記憶部２３は、ハードディスクや半導体メモリなどの記憶装置からなり、利用者が利用する区画ごとに、当該区画に滞在する利用者端末１０の端末ＩＤが登録された滞在端末情報を記憶する機能を有している。
図４は、各区画における利用者端末の滞在状況を示す説明図である。図５は、滞在端末情報の構成例である。図４の例では、区画Ａに端末Ａ１が滞在しており、区画Ｂに端末Ｂ１，Ｂ２，Ｂ３が滞在しており、区画Ｃに端末Ｃ１，Ｃ２が滞在しており、区画Ｄに端末Ｄ１が滞在している。
【００３３】
この場合、滞在端末情報は、図５に示すように、区画Ａに対して端末Ａ１の端末ＩＤが登録されており、区画Ｂに対して端末Ｂ１，Ｂ２，Ｂ３の端末ＩＤが登録されており、区画Ｃに対して端末Ｃ１，Ｃ２の端末ＩＤが登録されており、区画Ｄに対して端末Ｄ１の端末ＩＤが登録されている。したがって、区画Ａの滞在人数は１人であり、区画Ｂの滞在人数は３人であり、区画Ｃの滞在人数は２人であり、区画Ｄの滞在人数は１人であることがわかる。
【００３４】
申告処理部２５は、利用者端末１０から通信回線３０を介して通信Ｉ／Ｆ部２１で受信した移動ありの通知に応じて、記憶部２２から読み出した滞在区画申告画面を、通信Ｉ／Ｆ部２１から通信回線３０を介して当該利用者端末１０へ送信する機能と、通信Ｉ／Ｆ部２１で受信した利用者端末１０からの滞在区画申告情報の通知に応じて、滞在端末記憶部２３の滞在端末情報のうち、当該滞在区画申告情報に含まれる端末ＩＤを元の滞在区画から新たな滞在区画へ変更登録する機能とを有している。
【００３５】
状況集計部２６は、滞在端末記憶部２３の滞在端末情報について、区画ごとに登録されている端末ＩＤの数、すなわち各区画に滞在している利用者端末数を、当該区画に滞在している利用者人数として集計する機能を有している。
集計結果提供部２７は、状況集計部２６で得られた集計結果、すなわち各区画に滞在している利用者人数を、通信Ｉ／Ｆ部２１から通信回線３０を介して室内環境制御システム５へ提供する機能を有している。
【００３６】
情報収集装置２０における各機能部のうち、申告処理部２５、状況集計部２６、および集計結果提供部２７は、専用の制御回路で実現してもよく、ＣＰＵなどのマイクロプロセッサとその周辺回路を有し、記憶部２２内のプロクラムを実行して動作する演算処理部で実現してもよい。
【００３７】
［第１の実施の形態の動作］
次に、図６を参照して、本実施の形態にかかる区画情報収集システム１の動作について説明する。図６は、第１の実施の形態にかかる区画情報収集システムの情報収集動作を示すシーケンス図である。ここでは、区画Ａに滞在していた利用者が自己の利用者端末Ａ１を持って区画Ｃへ移動した場合を例として説明する。
【００３８】
まず、利用者は移動を開始する際、区画Ａにおいて、例えば自己の利用者端末１０から接続ケーブルを取り外すことにより、通信回線３０との接続を切断し（ステップ１００）、利用者は利用者端末１０を持って区画Ｃに移動する。
次に、利用者は、区画Ｃにおいて、例えば自己の利用者端末１０に接続ケーブルを取り付けることにより、通信回線３０と接続する（ステップ１０１）。
【００３９】
これに応じて、利用者端末１０の接続検知部１５は、通信回線３０との接続を検知し（ステップ１０２）、移動確認部１６は、接続検知部１５による検知に応じて、前述した図２の移動確認画面を画面表示部１３で画面表示する（ステップ１０３）。
この移動確認画面において、利用者が操作ボタン「はい」を押下して移動ありを入力した場合（ステップ１０４）、移動確認部１６は、記憶部１４の端末ＩＤを含む移動ありを、通信Ｉ／Ｆ部１１から通信回線３０を介して情報収集装置２０へ通知する（ステップ１０５）。
【００４０】
情報収集装置２０の申告処理部２５は、利用者端末１０から通信回線３０を介して通信Ｉ／Ｆ部２１で移動ありの通知を受信した場合、前述した図３の滞在区画申告画面を通信Ｉ／Ｆ部２１から通信回線３０を介して当該利用者端末１０へ送信する（ステップ１１０）。
【００４１】
利用者端末１０の情報申告部１７は、情報収集装置２０から通信回線３０を介して通信Ｉ／Ｆ部１１で滞在区画申告画面を受信した場合、当該滞在区画申告画面を画面表示部１３で画面表示する（ステップ１１１）。
この後、情報申告部１７は、滞在区画申告画面における利用者の滞在区画申告操作に応じて、申告された滞在区画と当該利用者端末１０の端末ＩＤとを含む滞在区画申告情報を、通信Ｉ／Ｆ部１１から通信回線３０を介して情報収集装置２０へ通知する（ステップ１１２）。
【００４２】
情報収集装置２０の申告処理部２５は、利用者端末１０から通信回線３０を介して通信Ｉ／Ｆ部２１で滞在区画申告情報の通知を受信した場合、滞在端末記憶部２３の滞在端末情報のうち、当該滞在区画申告情報に含まれる端末ＩＤを元の滞在区画から新たな滞在区画へ変更登録する（ステップ１１３）。
【００４３】
この後、情報収集装置２０の状況集計部２６は、定期的に、滞在区画申告情報の更新に応じて、あるいは室内環境制御システム５からの情報提供要求に応じて、滞在端末記憶部２３の滞在端末情報について、区画ごとに登録されている端末ＩＤの数、すなわち各区画に滞在している利用者端末数を、当該区画に滞在している利用者人数として集計する（ステップ１２０）。
【００４４】
また、情報収集装置２０の集計結果提供部２７は、定期的に、滞在区画申告情報の更新に応じて、あるいは室内環境制御システム５からの情報提供要求に応じて、状況集計部２６で得られた集計結果、すなわち各区画に滞在している利用者人数を、通信Ｉ／Ｆ部２１から通信回線３０を介して室内環境制御システム５へ提供する（ステップ１２１）。
室内環境制御システム５は、情報収集装置２０から提供された集計結果、すなわち各区画に滞在している利用者人数に基づいて、各区画における空調制御や照明制御などの室内環境制御を実行する（ステップ１２２）。
【００４５】
図７は、利用者の区画移動例を示す説明図である。図８は、滞在端末情報の更新例である。
図７に示すように、区画Ａに滞在していた利用者が自己の利用者端末１０である端末Ａ１を持って区画Ｃに移動して、端末Ａ１を通信回線３０に接続した場合、滞在端末記憶部２３の滞在端末情報において、区画Ａの滞在端末欄から端末Ａ１が削除され、区画Ｃの滞在端末欄に端末Ａ１が追加される。これにより、前述した図５と比較して、区画Ａの滞在人数は０人となり、区画Ｃの滞在人数が３人に増えたことになる。
【００４６】
したがって、例えば空調制御の場合には、区画Ａにおいて熱負荷となる人の人数が減少したため、冷房時には区画Ａにおける吹出風量を弱めに変更できる。例えば、滞在人数がゼロの場合には設定温度を高めにすることもでき、省エネルギー効果が得られる。また、区画Ｃにおいては熱負荷となる人の人数が増加したため、冷房時には区画Ｃにおける吹出風量を強めに変更でき、快適な室内環境を維持することができる。
また、照明制御の場合、区画Ａに滞在する人がいないため、照明を消灯することができ、省エネルギー効果が得られる。
【００４７】
［第１の実施の形態の効果］
このように、本実施の形態は、利用者端末１０において、接続検知部１５により、通信回線３０に対して接続されたことを検知したときに、滞在区画を申告させる要求を利用者に提示し、利用者から申告された滞在区画と利用者端末１０の端末ＩＤとを含む滞在区画申告情報を情報収集装置２０へ通知するようにしたものである。
【００４８】
また、情報収集装置２０において、滞在端末記憶部２３により、利用者が利用する区画ごとに、当該区画に滞在する利用者端末１０の端末ＩＤが登録された滞在端末情報を記憶しておき、申告処理部２５により、利用者端末１０からの滞在区画申告情報の通知に応じて、滞在端末情報のうち滞在区画申告情報に含まれる端末ＩＤを元の滞在区画から新たな滞在区画へ変更登録するようにしたものである。
【００４９】
これにより、利用者が持ち運ぶ利用者端末１０と通信回線３０との接続を自動検知して、その接続が区画の移動を伴うか否かを利用者に確認させるとともに、移動を伴う場合には滞在区画を申告させるようにしたので、区画間における利用者の移動を極めて正確に確認でき、精度の高い環境状況を各区画から収集することができる。したがって、本実施の形態にかかる区画情報収集システム１で区画ごとに収集された環境状況を、室内環境制御システム５において利用することにより、空調制御や照明制御などの室内環境制御において、区画ごとに利用者が満足する環境制御を実現することが可能となる。
【００５０】
なお、移動確認部は、移動がない場合に利用者の煩雑な操作を省略するためのものであり、本発明の原理に基づけば、移動確認部の処理を省略して情報申告部の処理に進んでもよいことは言うまでもない。また、適宜画面の送受信や画面の表示を実行するように構成したが、これらは利用者による申告を促すためのものであり、その目的を達成するものであれば、本実施の形態に示されたものには限られない。例えば、画面の送受信は行なわずに、予めＰＣに申告を促すソフトを実装して適宜起動してもよいし、視覚的方法を採用せずに、音声により申告を促すようにしてもよい。
【００５１】
［第２の実施の形態］
次に、図９を参照して、本発明の第２の実施の形態にかかる区画情報収集システム１について説明する。図９は、第２の実施の形態にかかる区画情報収集システムの構成を示す部ブロック図であり、前述した図１と同じまたは同等部部分には同一符号を付してある。
【００５２】
第１の実施の形態と比較し、本実施の形態にかかる区画情報収集システム１の情報収集装置２０には、環境情報記憶部２４が追加されている。
環境情報記憶部２４は、ハードディスクや半導体メモリなどの記憶装置からなり、利用者が利用する区画ごとに、当該区画における環境状況が登録された環境状況情報を記憶する機能を有している。
【００５３】
図１０は、環境状況の申告例である。図１１は、環境状況情報の構成例である。ここでは、環境状況として、利用者の滞在区画における空調制御の状況を、「暑い」、「やや暑い」、「快適」、「やや寒い」、「寒い」の５段階で申告した場合を例としている。
図１０の申告例は、前述した図４の滞在状況において、各利用者端末１０から申告されたものを示しており、端末Ａ１，Ｂ１，Ｃ１から「快適」が申告されており、端末Ｃ２から「暑い」が申告され、端末Ｂ２から「やや暑い」が申告されている。また、端末Ｂ３から「やや寒い」が申告され、端末Ｄ１から「寒い」が申告されている。
【００５４】
図１１は、図１０の申告を区画ごとに集計したものであり、区画Ａでは「快適」が１つ、区画Ｂでは「やや暑い」、「快適」、「やや寒い」がそれぞれ１つずつ、区画Ｃでは「暑い」と「快適」がそれぞれ１つずつ、区画Ｄでは「寒い」が１つ、それぞれ申告されている。
【００５５】
本実施の形態にかかる利用者端末１０の情報申告部１７は、情報収集装置２０から通信回線３０を介して通信Ｉ／Ｆ部１１で受信した環境状況申告画面に応じて、当該環境状況申告画面を画面表示する機能と、操作入力部１２で検出された当該環境状況申告画面における当該区画の環境状況を示す環境状況入力操作に応じて、入力された環境状況と利用者端末の端末ＩＤとを含む環境状況申告情報を、通信Ｉ／Ｆ部１１から通信回線３０を介して情報収集装置２０へ通知する機能とを有している。
【００５６】
図１２は、環境状況申告画面の構成例である。ここでは、一般的なダイアログボックス画面に、利用者に対する滞在区画の環境状況の申告を促す催促メッセージ「現在滞在している区画の環境状況を選択して下さい」と、利用者が環境状況を選択するための環境状況選択ボタンと、環境状況を申告するためのＯＫボタンと、申告を中止するためのキャンセルボタンとが設けられている。
【００５７】
また、情報収集装置２０の申告処理部２５は、利用者端末１０から通信回線３０を介して通信Ｉ／Ｆ部２１で受信した滞在区画申告情報の通知に応じて、記憶部２２から読み出した環境状況申告画面を、通信Ｉ／Ｆ部２１から通信回線３０を介して当該利用者端末１０へ送信する機能と、利用者端末１０から通信回線３０を介して通信Ｉ／Ｆ部２１で受信した環境状況申告情報の通知に応じて、滞在端末記憶部２３の滞在端末情報から当該環境状況申告情報に含まれる端末ＩＤの滞在区画を取得し、環境状況記憶部２４の環境状況情報のうち環境状況申告情報に含まれる環境状況を当該滞在区画の環境状況として登録する機能とを有している。
【００５８】
本実施の形態にかかる区画情報収集システム１、利用者端末１０、および情報収集装置２０の構成のうち、上記構成以外については、前述した第１の実施の形態と同様であり、ここでの詳細な説明は省略する。
【００５９】
［第２の実施の形態の動作］
次に、図１３を参照して、本実施の形態にかかる区画情報収集システム１の動作について説明する。図１３は、第２の実施の形態にかかる区画情報収集システムの情報収集動作を示すシーケンス図である。ここでは、区画Ａに滞在していた利用者が自己の利用者端末１０（Ａ１）を持って区画Ｃへ移動した場合を例として説明する。
【００６０】
まず、利用者は移動を開始する際、区画Ａにおいて、例えば自己の利用者端末１０から接続ケーブルを取り外すことにより、通信回線３０との接続を切断し（ステップ１００）、利用者は利用者端末１０を持って区画Ｃに移動する。
次に、利用者は、区画Ｃにおいて、例えば自己の利用者端末１０に接続ケーブルを取り付けることにより、通信回線３０と接続する（ステップ１０１）。
【００６１】
これに応じて、利用者端末１０の接続検知部１５は、通信回線３０との接続を検知し（ステップ１０２）、移動確認部１６は、接続検知部１５による検知に応じて、前述した図２の移動確認画面を画面表示部１３で画面表示する（ステップ１０３）。
この移動確認画面において、利用者が操作ボタン「はい」を押下して移動ありを入力した場合（ステップ１０４）、移動確認部１６は、記憶部１４の端末ＩＤを含む移動ありを、通信Ｉ／Ｆ部１１から通信回線３０を介して情報収集装置２０へ通知する（ステップ１０５）。
【００６２】
情報収集装置２０の申告処理部２５は、利用者端末１０から通信回線３０を介して通信Ｉ／Ｆ部２１で移動ありの通知を受信した場合、前述した図３の滞在区画申告画面を通信Ｉ／Ｆ部２１から通信回線３０を介して当該利用者端末１０へ送信する（ステップ１１０）。
【００６３】
利用者端末１０の情報申告部１７は、情報収集装置２０から通信回線３０を介して通信Ｉ／Ｆ部１１で滞在区画申告画面を受信した場合、当該滞在区画申告画面を画面表示部１３で画面表示する（ステップ１１１）。
この後、情報申告部１７は、滞在区画申告画面における利用者の滞在区画申告操作に応じて、申告された滞在区画と当該利用者端末１０の端末ＩＤとを含む滞在区画申告情報を、通信Ｉ／Ｆ部１１から通信回線３０を介して情報収集装置２０へ通知する（ステップ１１２）。
【００６４】
情報収集装置２０の申告処理部２５は、利用者端末１０から通信回線３０を介して通信Ｉ／Ｆ部２１で滞在区画申告情報の通知を受信した場合、滞在端末記憶部２３の滞在端末情報のうち、当該滞在区画申告情報に含まれる端末ＩＤを元の滞在区画から新たな滞在区画へ変更登録する（ステップ１１３）。
続いて、申告処理部２５は、利用者端末１０から通信回線３０を介して通信Ｉ／Ｆ部２１で滞在区画申告情報の通知を受信した場合、前述した図１２の環境状況申告画面を通信Ｉ／Ｆ部２１から通信回線３０を介して当該利用者端末１０へ送信する（ステップ２００）。
【００６５】
利用者端末１０の情報申告部１７は、情報収集装置２０から通信回線３０を介して通信Ｉ／Ｆ部１１で環境状況申告画面を受信した場合、当該環境状況申告画面を画面表示部１３で画面表示する（ステップ２０１）。
この後、情報申告部１７は、環境状況申告画面における利用者の環境状況申告操作に応じて、申告された環境状況と当該利用者端末１０の端末ＩＤとを含む環境状況申告情報を、通信Ｉ／Ｆ部１１から通信回線３０を介して情報収集装置２０へ通知する（ステップ２０２）。
【００６６】
情報収集装置２０の申告処理部２５は、利用者端末１０から通信回線３０を介して通信Ｉ／Ｆ部２１で環境状況申告情報の通知を受信した場合、滞在端末記憶部２３の滞在端末情報から当該環境状況申告情報に含まれる端末ＩＤの滞在区画を取得し、環境状況記憶部２４の環境状況情報のうち、環境状況申告情報に含まれる環境状況を当該滞在区画の環境状況として登録する（ステップ２０３）。
【００６７】
この後、情報収集装置２０の状況集計部２６は、定期的に、滞在区画申告情報の更新に応じて、あるいは室内環境制御システム５からの情報提供要求に応じて、滞在端末記憶部２３の滞在端末情報について、区画ごとに登録されている端末ＩＤの数、すなわち各区画に滞在している利用者端末数を、当該区画に滞在している利用者人数として集計する（ステップ１２０）。この際、状況集計部２６は、環境状況記憶部２４の環境状況情報について、区画ごとに各環境状況の申告件数を集計する（ステップ１２０）。
【００６８】
また、情報収集装置２０の集計結果提供部２７は、定期的に、滞在区画申告情報の更新に応じて、あるいは室内環境制御システム５からの情報提供要求に応じて、状況集計部２６で得られた集計結果、すなわち各区画に滞在している利用者人数を、通信Ｉ／Ｆ部２１から通信回線３０を介して室内環境制御システム５へ提供する（ステップ１２１）。この際、集計結果提供部２７は、状況集計部２６で得られた集計結果、すなわち各区画における環境状況ごとの申告件数を、通信Ｉ／Ｆ部２１から通信回線３０を介して室内環境制御システム５へ提供する（ステップ１２１）。
【００６９】
室内環境制御システム５は、情報収集装置２０から提供された集計結果、すなわち各区画に滞在している利用者人数、および各区画における環境状況ごとの申告件数に基づいて、各区画における空調制御や照明制御などの室内環境制御を実行する（ステップ１２２）。
【００７０】
図１４は、環境状況（移動後）の申告例である。図１５は、環境状況情報（移動後）の集計例である。
図１４の申告例は、前述した図１０の申告例において、端末Ａ１が区画Ａから区画Ｃへ移動した後の申告例を示しており、端末Ａ１の申告環境状況が区画Ａでの「快適」から区画Ｃでの「暑い」に変化している。
【００７１】
図１５は、図１４の申告を区画ごとに集計したものであり、区画Ａではすべての環境状況の申告数がゼロとなり、区画Ｃでは「暑い」が２つ、「快適」が１つ申告されている。
したがって、例えば空調制御の場合には、区画Ｃにおいて、移動前は「暑い」と「快適」が１：１の割合であったものが、移動後は２：１の割合に変化していることから、冷房時には区画Ｃにおける吹出風量を強めに変更でき、快適な室内環境を維持することができる。
【００７２】
［第２の実施の形態の効果］
このように、本実施の形態は、利用者端末１０において、情報申告部１７により、滞在区画の申告が行われた後、当該滞在区画の環境状況を申告させる要求を利用者に提示し、利用者から申告された当該滞在区画の環境状況と利用者端末の端末ＩＤとを含む環境状況申告情報を情報収集装置２０へ通知し、情報収集装置２０において、環境状況記憶部２４により、区画ごとに環境状況が登録された環境状況情報を記憶しておき、申告処理部２５により、利用者端末１０からの環境状況申告情報の通知に応じて、環境状況情報のうち環境状況申告情報に含まれる環境状況を滞在区画の環境状況として登録するようにしたものである。
【００７３】
これにより、利用者の移動に加え、利用者が感じた滞在区画の環境状況を、各区画から収集することができる。したがって、本実施の形態にかかる区画情報収集システム１で区画ごとに収集された環境状況を、室内環境制御システム５において利用することにより、空調制御や照明制御などの室内環境制御において、区画ごとに利用者が満足する環境制御を実現することが可能となる。
【００７４】
なお、適宜画面の送受信や画面の表示を実行するように構成したが、これらは利用者による申告を促すためのものであり、その目的を達成するものであれば、本実施の形態に示されたものには限られない。例えば、画面の送受信は行なわずに、予めＰＣに申告を行なうためのソフトを実装して利用者の意思で起動してもよい。
【００７５】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００７６】
１…区画情報収集システム、１０…利用者端末、１１…通信Ｉ／Ｆ部、１２…操作入力部、１３…画面表示部、１４…記憶部、１５…接続検知部、１６…移動確認部、１７…情報申告部、２０…情報収集装置、２１…通信Ｉ／Ｆ部、２２…記憶部、２３…滞在端末記憶部、２４…環境状況記憶部、２５…申告処理部、２６…状況集計部、２７…集計結果提供部、３０…通信回線、５…室内環境制御システム。
【図１】
0005520176.tif 000002
【図２】
0005520176.tif 000003
【図３】
0005520176.tif 000004
【図４】
0005520176.tif 000005
【図５】
0005520176.tif 000006
【図６】
0005520176.tif 000007
【図７】
0005520176.tif 000008
【図８】
0005520176.tif 000009
【図９】
0005520176.tif 000010
【図１０】
0005520176.tif 000011
【図１１】
0005520176.tif 000012
【図１２】
0005520176.tif 000013
【図１３】
0005520176.tif 000014
【図１４】
0005520176.tif 000015
【図１５】
0005520176.tif 000016